(57)【特許請求の範囲】
【請求項１】
鍵盤に加わるアクション機構およびハンマーの重量を軽減するばねを備え、このばねをレール部材の上面に固定し、サポートの下面に圧接したことを特徴とする鍵盤楽器。
【請求項２】
請求項１記載の鍵盤楽器において、
ばねを板ばねとし、この板ばねは複数個のサポートに対応する長さを有しレール部材に固定される固定部と、この固定部の一端に折り曲げ形成され先端部が複数個のサポートの下面にそれぞれ圧接される複数個の弾性片とを備えていることを特徴とする鍵盤楽器。
【発明の詳細な説明】
【０００１】
【発明の属する技術分野】
本発明は、鍵盤楽器に関し、特に鍵盤に取付けられる重りの重量を軽減するようにした鍵盤楽器に関する。
【０００２】
【従来の技術】
一般のピアノ、電子ピアノなどの鍵盤楽器において、演奏時における鍵タッチの重さは演奏者にとって鍵タッチ感に微妙な差異を感じさせ、技術的に演奏内容に大きな影響を与えるため、鍵タッチの重さを全ての鍵盤に対してまたは音域毎に適切な重さを持たせることが要求される。この鍵タッチの重さは原則的には各演奏者の好みに合わせて調整されるものであるが、実際には楽器の製作時において標準の重さに設定している。
【０００３】
鍵タッチの調整は、ピアノの鍵盤の場合、図３に示すように鍵盤１の回動支点Ｏより前端部寄りに鍵盤１の両側面に貫通する直径１０ｍｍ程度の重り用貫通孔（図示せず）を鍵盤１の長手方向に適宜間隔をおいて所要個数形成し、この重り用貫通孔に円柱状の重り２をはめ込むことで行なっている。このように重り２を設けて鍵盤１の後端部に加わるアクション機構３およびハンマー４の重量と対抗させると、重りを設けない場合に比べて押鍵操作時の操作力を小さくでき、演奏者に過度の負荷を与えず、鍵盤・アクション系のコントロールを容易にすることができる。
【０００４】
重り２の材料としては通常鉛が用いられる。鉛を用いる理由は、安価で比重（１１．３４）が大きく柔軟性を有し、加圧手段によって押圧してその両端の外周部を外側に変形させて重り用貫通孔の穴壁に食い込ませると貫通孔からの脱落を防止することができるためである。
【０００５】
【発明が解決しようとする課題】
しかしながら、鉛は有害物質であるため、環境保全のためには使用しないことが望ましく、材料の変換が要望されている。その場合、鉛（比重１１．３）に代わる金属として比較的安価で比重の大きい鉄（７．８６）、黄銅（８．３）等を用いることを考えなければならない。しかし、これらの金属材料は鉛に比べて比重が軽いために可能な限り鍵盤にはめ込んでも鍵盤操作時の操作力を必要な程度まで小さくすることができない。
【０００６】
そこで、上記した従来の問題を解決するために、例えば図４に示すようにアクション機構の一構成部材であるサポート５に線ばね６の一端側をねじ７によって固定し、この線ばね６の自由端側をサポートレール（レール部材）８に設けた細い紐９に引っ掛けることにより、サポート５を図において反時計方向の回動習性を付与した鍵盤楽器が提案されている。このような構造においては、線ばね６によってアクション機構３およびハンマー４の重量を支えているので、鍵盤１に加わる重量を軽減でき、重り２の重量を少なくすることができる。
【０００７】
しかしながら、図４に示した従来技術においては、専用の線ばね６と紐９を製作しなければならず、また各アクション機構３ごとに線ばね６と紐９をサポート５とサポートレール８に取付けた後、線ばね６を紐９に引っ掛けなければならないため、その取付作業が煩わしく長時間を要し、作業性が悪いという問題があった。特に、サポート５をサポートレール８に組込む工程を自動機によって行なう場合は、紐９を開いて保持し、線ばね６を弾性変形させて紐９に引っ掛けなければならないため、装置自体が複雑化するばかりか、線ばね６が曲がったりして組み込めなくなることがある。
【０００８】
本発明は上記した従来の問題を解決するためになされたもので、その目的とするところは、取付作業が容易で作業性に優れ、また鍵盤に用いられる重りの重量を軽減し得るようにした鍵盤楽器を提供することにある。
【０００９】
【課題を解決するための手段】
上記目的を達成するために第１の発明は、鍵盤に加わるアクション機構およびハンマーの重量を軽減するばねを備え、このばねをレール部材の上面に固定し、サポートの下面に圧接したことを特徴とする。
【００１０】
第２の発明は、上記第１の発明において、ばねを板ばねとし、この板ばねは複数個のサポートに対応する長さを有しレール部材に固定される固定部と、この固定部の一端に折り曲げ形成され先端部が複数個のサポートの下面にそれぞれ圧接される複数個の弾性片とを備えていることを特徴とする。
【００１１】
第１、第２の発明において、ばねはサポートの下面を弾性的に支持するので、鍵盤に取付けられる重りの重量を軽減することができる。また、ばねをレール部材の上面に取付けるだけでよいので、ばねの取付作業が容易である。さらに、板ばねとした場合は複数個の弾性片を備え、複数のアクション機構に対して共通に用いられるので、板ばねの部品としての点数を少なくすることができる。
【００１２】
【発明の実施の形態】
以下、本発明を図面に示す実施の形態に基づいて詳細に説明する。
図１は本発明をグランドピアノに適用した一実施の形態を示す側面図、図２は板ばねの要部の斜視図である。なお、従来技術の欄で示した構成部材等と同一のものについては同一符号をもって示し、その説明を適宜省略する。これらの図において、本発明においては、アクション機構３が取付けられるサポートレール８の上面にばねとして板ばね２０をねじ２１によって取付け、この板ばね２０によってサポート５の下面を弾性的に支持することにより、鍵盤１に加わるアクション機構３およびハンマー４の重量を軽減するようにしている。
【００１３】
前記鍵盤１は白鍵１Ａと黒鍵１Ｂ（図３参照）とからなり、楽器本体の棚板２２上に鍵盤筬２３を介して配設され、長手方向の中央部が鍵盤筬２３の筬中２３ａ上に植設したバランスキーピン２４によって上下方向に揺動自在に支持されている。このような鍵盤１は、通常（非演奏時）においてアクション機構３およびハンマー４の重量によって前端側が浮き上がり、後端側が筬後２３ｂ上にフェルト２６を介して押し付けられている。
【００１４】
前記サポートレール８は、アルミニウム合金、黄銅等の押出形材によって形成され、全ての鍵盤１に対して共通に延在する長さを有し、両端部および中間部が棚板２２上に鍵盤１の配列方向に並設した複数個、例えば３〜４個のアクションブラケット２５にねじ止め固定されることにより、鍵盤１の後端部上方に位置している。
【００１５】
前記アクション機構３は、鍵盤１の押鍵操作によって動作しハンマー４を回動させるもので、前記サポート５と、押鍵操作に伴いサポート５とともに上昇し前記ハンマー４を突き上げ回動させるジャック２７と、打弦動作後にハンマー４を受け止めジャック２７をハンマーローラ２８の下に復帰させるレペティションレバー２９と、打弦動作時に前記ジャック２７をハンマー４から一時的に脱進させるレギュレチングボタン３０等で構成されている。
【００１６】
前記サポート５は、前記サポートレール８に固定されたサポートフレンジ３１の上端に後端がピン３２を介して上下方向に回動自在に軸支されている。サポート５の長手方向の中間部下面には、サポートヒール５Ａが一体的に設けられ、このサポートヒール５Ａは鍵盤１の後端部上面に植設したキャプスタン３３によって支持されることによりサポート５を通常略水平に保持している。そして、サポート５の後端部上面には、打弦動作後回動復帰する前記ハンマー４のハンマーシャンク３４を受け止めるハンマーシャンクストップフェルト３５がサポート付木３６を介して取り付けられている。
【００１７】
前記ジャック２７は、側面視Ｌ字状に形成されることによりジャック大２７Ａおよびジャック小２７Ｂを備え、屈曲部がサポート５の前端にピン３７を介して前後方向に回動自在に軸支されるとともに、レペティションスプリング３８によって図１において反時計方向の回動習が付与されている。ジャック大２７Ａは、上方に向かって延在して前記レペティションレバー２９の前端部に形成した長孔３９に下方から挿通されており、その上端面が前記ハンマーシャンク３４の基部側下面に設けた前記ハンマーローラ２８の下面に当接している。一方、ジャック小２７は前方に向かって略水平に延在し、前端部に設けた脱進時の回動力点となる突起４１が前記レギュレチングボタン２９の下方に位置している。そして、ジャック２７は、ジャック大２７Ａの長手方向中間部に取り付けたレペティションボタン４２がサポート５上に植設したジャックストップスプーン４３に前記レペティションスプリング３８のばね力によって通常圧接されることにより、反時計方向の回動を制限され初期位置に保持されている。
【００１８】
前記レペティションレバー２９は、前記サポート５の略中央部に突設したレペティションレバーフレンジ４５の上端にセンターピン４６を介して上下方向に回動自在に軸支されるとともに、前記レペティションスプリング３８によって図１において反時計方向の回動習性が付与されている。レペティションレバー２９の後端部には通常前記レペティションスプリング３８のばね力によってサポート５の後端部上面に圧接されるレペティションレバーボタン４７が設けられており、これによってレペティションレバー２９の反時計方向の回動を制限し、初期位置に係止している。この状態において、レペティションレバー２９は、後端側が前端側より下に位置するよう図１左下がりに所要角度をもって傾斜している。
【００１９】
前記ハンマー４は、前記ハンマーシャンク３４と、ハンマーウッド４８とハンヘッド４９とを備えている。ハンマーシャンク３４は、前記アクションブラケット２５の上面に設けたシャンクレール５０に固定されたシャンクフレンジ５１に前端がピンを介して上下方向に回動自在に軸支され、前記ハンマーローラ２８がジャック２７およびレペティションレバー２９によって支持され、後端に前記ハンマーウッド４８が直交するように取り付けられている。前記ハンマーヘッド４９はハンマーウッド４８の上端に取付けられ、弦５２の下方に位置している。
【００２０】
前記レギュレチングボタン３０は、前記シャンクレール５０に取付けたレギュレチングレール５３の下面にレギュレチングスクリュ５４を介して取り付けられている。レギュレチングボタン３０と前記ジャック小２７Ｂの突起２７との距離Ｄは、ハンマー４が弦５２に２〜３ｍｍ程度まで接近した際にジャック２７がハンマーローラ２８の下部から脱進する距離に設定されている。前記距離Ｄを大きくすると、ジャック２７の脱進時期が遅くなり、反対に小さくすると早くなる。なお、このようなアクション機構３およびハンマー４は従来と全く同じである。
【００２１】
前記板ばね２０は、図２に示すように薄い金属板の折曲加工によって形成されることにより、固定部２０Ａと、この固定部２０Ａに延設された複数個の弾性片２０Ｂとで構成されている。固定部２０Ａは、複数個のアクション機構３に対して共通に延在する長さを有し、複数個のねじ２１によって前記サポートレール８の上面に固定されている。前記弾性片２０Ｂは、固定部２０Ａの長辺側の一辺（後方側端縁）に鍵盤１の配列ピッチ、言い換えればアクション割りと同一の間隔をもって略Ｊ字状に形成され、先端部に設けた半円形の突部５６が前記サポート５の下面に圧接されている。このような弾性片２０Ｂは、サポート５によって図１に二点鎖線で示す自然状態から実線で示す状態に弾性変形され、これによってアクション機構３およびハンマー４の重量を支え、鍵盤１に埋め込まれる重り２（図３）の重量を軽減するようにしている。なお、弾性片２０Ｂの力に応じた変位量は、基端から前記突部５６までの距離ｄ（図１）を長くすると得易くなる。
【００２２】
図１に示す鍵盤機構において、鍵盤１の前端部を指で押鍵操作すると、鍵盤１はバランスキーピン２４を回動支点として揺動し、サポートヒール５Ａをキャプスタン３３によって突き上げる。このため、サポート５は反時計方向に上昇回動し、ジャック２７がハンマーローラ２８を下から突き上げてハンマー４を時計方向に上昇回動させ、これによってハンマーヘッド４９が押鍵操作された鍵盤１に対応する弦５２を打撃する。打弦動作途中において、ジャック２７は、突起４１がレギュレチングボタン３０に当接してその上昇運動を阻止されることにより、レペティションスプリング３８に抗して時計方向に回動され、これによってジャック２７の上端がハンマーローラ２８の下部から一時的に脱進する。
【００２３】
打弦動作後、自重および弦５２の反発力によって回動復帰するハンマー４は、ハンマーローラ２８がレペティションレバー２９によって受け止められ、続いて鍵盤１の後端部上面に設けたバックチェック５６によって弾性的に受け止められることにより初期位置へと復帰する。この時、レペティションレバー２９は、ハンマー４の落下衝撃によりセンターピン４６を中心としてレペティションスプリング３８に抗して時計方向に回動されることにより、前記落下衝撃を吸収緩和し、ハンマーローラ２８の跳ね返りを防止するとともに同一鍵による早い連打を可能にしている。また、前記ジャック２７は、ハンマー４による打弦動作後鍵盤１の復帰動作に伴うサポート５の回動下降に連動して回動復帰することにより、上端が再びハンマーローラ２８の下部に入り込み、次の打弦動作を可能にする。
【００２４】
このような構造からなるグランドピアノにおいては、鍵盤１に対するアクション機構４およびハンマー４の重量を軽減するための部材として板ばね２０を用い、この板ばね２０をサポートレール８の上面に固定し、サポート５を弾性的に支持するように構成したので、鍵盤１に埋め込まれる重り２の重量を少なくすることができる。
【００２５】
また、板ばね２０は、金属板の折曲加工によって形成することができるので、製作が容易であり、しかもサポート５をサポートレール８に取付ける前にサポートレール８の上面にねじ２１によって固定するだけでよいので、取付作業も容易で、自動機による組付けを可能にする。さらに、板ばね２０は、複数個の弾性片２０Ｂを備え、複数のアクション機構３に対して共通に用いられるので、板ばね２０の数を少なくすることができる。
【００２６】
なお、上記した実施の形態においては、グランドピアノに適用した例を示したが、本発明はこれに何等特定されるものではなく、アップライトピアノにも適用することが可能である。その場合、アップライトピアノにおいてはサポート５に相当する部材をウイペンと称しているため、このウイペンを板ばね２０によって弾性的に支持すればよい。
また、上記した実施の形態においては、板ばね２０に複数個の弾性片２０Ｂを設けた例を示したが、各アクション機構３に対して板ばね２０を１つずつ取付けることも可能である。
【００２７】
【発明の効果】
以上説明したように本発明に係る鍵盤楽器は、レール部材にばねを設け、このばねによってサポートを下方から支持し、鍵盤に加わるアクション機構およびハンマーの重量を軽減するように構成したので、鍵盤に埋め込まれる重りの重量を少なくすることができ、公害対策に好適である。また、板ばねの取付作業が容易で、自動機による組付けを可能にする。
また、本発明は、ばねに複数個の弾性片を設けているので、ばね自体の部品点数を削減するとともに、一層組付作業を容易にすることができる。
【図面の簡単な説明】
【図１】  本発明をグランドピアノに適用した一実施の形態を示す側面である。
【図２】  板ばねの要部の斜視図である。
【図３】  重りを備えたピアノの鍵盤を示す側面図である。
【図４】  線ばねによる重量軽減の従来例を示す要部の断面図である。
【符号の説明】
１…鍵盤、２…重り、３…アクション機構、４…ハンマー、５…サポート、８…サポートレール、２０…板ばね、２０Ａ…固定部、２０Ｂ…弾性片。
【図１】
0003832131.tif 000002
【図２】
0003832131.tif 000003
【図３】
0003832131.tif 000004
【図４】
0003832131.tif 000005